(57)【特許請求の範囲】
【請求項１】
用紙を一方向に搬送する用紙搬送手段と、
用紙搬送方向と直交する方向に移動可能であり、該直交方向での用紙の端部を検出する、一つ以上の端部検出手段と、
前記端部検出手段で検出した用紙の端部位置に基づいて前記直交方向に移動し、用紙に対して穿孔する穿孔手段と、
前記端部検出手段のうち任意の少なくとも一つの端部検出手段に対して光量調整を行う調整手段と、
前記用紙搬送手段、前記端部検出手段、前記穿孔手段及び前記調整手段を制御するとともに、前記穿孔手段を前記端部検出手段で検出した用紙の端部位置に基づいて前記直交方向に移動させ、用紙に対して穿孔させる制御手段と、
を備え、
前記端部検出手段は複数のものが前記直交方向に並置されており、
前記制御手段は、さらに、初期エラーチェックモード実行時に、前記端部検出手段のうち任意の少なくとも一つの端部検出手段を搬送される用紙に対向しない位置に移動させた後に該端部検出手段のみに対して光量調整を行い、それ以外の端部検出手段については光量調整を行うことなく光量調整を行った結果を反映させ、
さらに、制御手段は、前記端部検出手段を残留用紙を検出するための位置へ移動させて残留用紙の検出を実行させ、残留用紙がないと判定した場合には改めて前記端部検出手段の光量調整を行うこと、
を特徴とする後処理装置。
【請求項２】
前記制御手段が初期エラーチェックモードを実行するのは、電源投入時、スリープモードからの復帰時、及び、開かれた扉の閉止時の少なくともいずれか一つであること、を特徴とする請求項１に記載の後処理装置。
【請求項３】
前記端部検出手段は発光部と受光部とからなり、前記発光部は発光強度を設定可能であり、前記受光部は前記発光部からの光の反射光を検出するものであり、
前記調整手段とは、前記受光部における光量が適性値となるように前記発光部の発光強度を設定するものであること、
を特徴とする請求項１又は請求項２に記載の後処理装置。
【請求項４】
前記用紙に対向しない位置とは、通紙可能な用紙の前記直交方向の最大サイズに基づいて決定されること、を特徴とする請求項１ないし請求項３のいずれかに記載の後処理装置。
【発明の詳細な説明】
【技術分野】
【０００１】
本発明は、後処理装置、特に、プリンタや複写機などで画像形成された用紙に穿孔処理、綴じ処理などを行う後処理装置に関する。
【背景技術】
【０００２】
用紙に対してパンチによる穿孔処理やステープルによる綴じ処理を行う後処理装置に対しては、プリンタや複写機などの画像形成装置から画像形成済み用紙が順次送り込まれる。このように画像形成装置から後処理装置に送り込まれてきた用紙は、搬送方向と直交する方向（以下、ＣＤ方向と記す）にある程度ずれている。通紙センターからＣＤ方向のずれを生じている用紙に対してパンチにより穿孔すれば、穿孔位置が用紙センターからずれてしまう。
【０００３】
そこで、従来では、用紙がＣＤ方向にどの程度ずれているのかを検出し、パンチユニットを搬送されてくる用紙のセンターに正確に導いて穿孔するようにしていた。このとき、用紙のＣＤ方向へのずれ量を検出するのが端部検出センサである。端部検出センサは、発光部と受光部とからなり、発光強度を変えながら対向する鏡面からの反射光の光量を測定し、適正な発光強度を設定する調整を行っている。この調整時に、パンチユニットに用紙が残留していると、用紙で反射した光の光量を測定することになるので、誤った調整結果になってしまう。そこで、パンチユニットに用紙が残留しているか否かを、パンチユニットの搬送方向上流側及び下流側に配置されている用紙センサによって検出するようにしていた。そして、用紙が残留していないことを確認した後に前記調整を実施していた。
【０００４】
特許文献１には、端部検出センサの発光強度を変更し、透過型センサで受光か遮光かをデジタル的に判定するシート処理装置が記載されている。ここでは、発光強度に対する応答によりパンチ屑が付着していることを検出している。
【０００５】
ところで、近年では、いままで別の筐体で実現していた用紙のＺ折り処理機構を後処理装置に組み込んで後処理システムの全体的な小型化を図るようにしている。しかし、このような後処理装置では、パンチユニットの上流側及び下流側に配置される用紙センサの間隔が大きくなり、用紙センサの間にサイズの小さい用紙が残留した場合、それを検出できない不具合を生じることになった。残留用紙の検出のために別の用紙センサを追加することはコストアップになり、好ましいことではない。
【先行技術文献】
【特許文献】
【０００６】
【特許文献１】特開２００７−１３７６６７号公報
【発明の概要】
【発明が解決しようとする課題】
【０００７】
本発明の目的は、既設の端部検出センサによって残留用紙の検出をも可能とし、かつ、端部検出センサの光量調整を過誤なく実行できる後処理装置を提供することにある。
【課題を解決するための手段】
【０００８】
本発明の一形態である後処理装置は、
用紙を一方向に搬送する用紙搬送手段と、
用紙搬送方向と直交する方向に移動可能であり、該直交方向での用紙の端部を検出する、一つ以上の端部検出手段と、
前記端部検出手段で検出した用紙の端部位置に基づいて前記直交方向に移動し、用紙に対して穿孔する穿孔手段と、
前記端部検出手段のうち任意の少なくとも一つの端部検出手段に対して光量調整を行う調整手段と、
前記用紙搬送手段、前記端部検出手段、前記穿孔手段及び前記調整手段を制御するとともに、前記穿孔手段を前記端部検出手段で検出した用紙の端部位置に基づいて前記直交方向に移動させ、用紙に対して穿孔させる制御手段と、
を備え、
前記端部検出手段は複数のものが前記直交方向に並置されており、
前記制御手段は、さらに、初期エラーチェックモード実行時に、前記端部検出手段のうち任意の少なくとも一つの端部検出手段を搬送される用紙に対向しない位置に移動させた後に該端部検出手段のみに対して光量調整を行い、それ以外の端部検出手段については光量調整を行うことなく光量調整を行った結果を反映させ、
さらに、制御手段は、前記端部検出手段を残留用紙を検出するための位置へ移動させて残留用紙の検出を実行させ、残留用紙がないと判定した場合には改めて前記端部検出手段の光量調整を行うこと、
を特徴とする。
【０００９】
前記後処理装置においては、端部検出手段で検出した用紙の端部位置に基づいて端部検出手段をＣＤ方向に移動させて用紙に対して穿孔する。そして、初期エラーチェックモード実行時に端部検出手段を用いて穿孔手段での残留用紙の有無を検出する。この場合、残留用紙がある状態で端部検出手段の光量調整を行うと、誤った調整が行われる。それゆえ、初期エラーチェックモード実行時に、端部検出手段のうち任意の少なくとも一つの端部検出手段を搬送される用紙に対向しない位置に移動させた後に該端部検出手段の光量調整を行う。これにて、仮に用紙が残留していたとしても、該残留用紙を避けた状態で端部検出手段の光量調整が行われ、誤った調整が回避される。
【発明の効果】
【００１０】
本発明によれば、穿孔手段での残留用紙の有無を既設の端部検出手段にて検出することができ、かつ、端部検出センサの光量調整を過誤なく実行できる。
【図面の簡単な説明】
【００１１】
【図１】一実施例である後処理装置を示す概略構成図である。
【図２】パンチユニットとその周囲の通紙経路を示す説明図である。
【図３】端部検出センサの説明図である。
【図４】端部検出センサが１個の場合におけるパンチユニットの移動説明図である。
【図５】端部検出センサが複数個の場合におけるパンチユニットの移動説明図である。
【図６】端部検出センサによる用紙端部検出の説明図である。
【図７】端部検出センサによる残留用紙検出の説明図である。
【図８】端部検出センサごとの対象用紙サイズを示すテーブル図である。
【図９】光量調整の説明図である。
【図１０】制御機構を示すブロック図である。
【図１１】第１の制御手順を示すフローチャート図である。
【図１２Ａ】第２の制御手順を示すフローチャート図である。
【図１２Ｂ】第２の制御手順を示すフローチャート図（図１２Ａの続き）である。
【発明を実施するための形態】
【００１２】
以下、本発明に係る後処理装置の実施例について、添付図面を参照して説明する。なお、各図において同じ部材、部分には共通する符号を付し、重複する説明は省略する。
【００１３】
図１に示すように、後処理装置１は、画像形成装置２の排出口３から排出された画像形成済み用紙を受け取り、予め選択された穿孔処理、Ｚ折り処理、ステープル処理などを実行するものである。用紙受入れ口１１から搬入された用紙は、搬送経路１２を搬送されつつパンチユニット２０にて穿孔処理され、Ｚ折りユニット３０でＺ折り処理された場合には搬送経路１３を通じて排出口１４から排出される。Ｚ折り処理されない場合、用紙は搬送経路１５を通じて排出口１６から排出される。ステープル処理される用紙束は搬送経路１７からステープルユニット３５に搬送され、ステープル処理後に搬送経路１７を戻されて排出口１６から排出される。
【００１４】
なお、後処理装置１は用紙をオペレーターの手差しで１枚ずつ挿入するように構成されていてもよい。画像形成装置２はカラー画像を用紙上に形成するプリンタや複写機などであり、詳細な構造や電子写真プロセスなどは周知であり、その説明は省略する。
【００１５】
パンチユニット２０は、図２に示すように、搬送経路１２上であって搬送ローラ４１，４２の間に設置され、搬送ローラ４１，４２の外側に通紙センサＰＳ１１，ＰＳ１２が配置されている。通紙センサＰＳ１１，ＰＳ１２間の距離Ｌは、例えば１７０ｍｍであり、最小通紙サイズ（Ａ５縦）の用紙長さよりも長い。それゆえ、仮にパンチユニット２０の付近に最小通紙サイズの用紙Ｓが残留していたとしても、通紙センサＰＳ１，ＰＳ２では検出できない場合がある。
【００１６】
パンチユニット２０は、筐体２１にパンチングロッド２２と端部検出センサＰＳ（ＰＳ１〜ＰＳ５）を備えている。パンチングロッド２２は２本設けられ、図４（Ｂ）、図５（Ｂ）に示すように、矢印Ａ方向に搬送される用紙Ｓの後端縁部に孔ｈを穿孔する。なお、ロッド２２の本数は任意である。
【００１７】
端部検出センサＰＳは、図３に示すように、発光部４５と受光部４６とからなり、発光部４５からの光の反射光を受光部４６で検出する。センサＰＳの対向部には鏡４７が配置されており、通常、発光部４５からの光は鏡４７で反射して受光部４６に入射する（図３（Ａ）参照）。経路１２を搬送される用紙Ｓは、図３（Ｂ）に示すように、鏡４７の上側を通過する。このとき、発光部４５からの光は散乱されて受光部４６への入射光量は減少する。つまり、受光部４６での受光光量（反射光量）を測定することで用紙Ｓを検出することができる。
【００１８】
パンチングロッド２２とセンサＰＳ（ＰＳ１〜ＰＳ５）を備えた筐体２１は、図４、図５、図６に示すように、搬送方向Ａと直交するＣＤ方向にスライド移動可能である。以下に、端部検出センサＰＳによる通過用紙Ｓの検出と、パンチ処理について説明する。なお、単数のセンサＰＳが配置されている例を図４を参照して説明し、複数のセンサＰＳ１〜ＰＳ５が配置されている例を図５を参照して説明する。
【００１９】
１個のセンサＰＳを有する場合、図４（Ａ），（Ｂ）の右方から左方へと搬送される用紙Ｓに対してパンチユニット２０をＣＤ方向にスライド移動させ、センサＰＳが用紙Ｓの端部を検出したタイミングから用紙Ｓのサイズによって決まる所定距離だけさらにＣＤ方向に移動した位置でパンチユニット２０を停止させる（図４（Ｂ）参照）。これにて、パンチユニット２０（パンチングロッド２２）のセンターと通紙センターとが一致する。所定のタイミングでタイミングロッド２２を動作させることで用紙Ｓの後端縁部に穿孔される。
【００２０】
搬送経路１２には図８のテーブルの「用紙例」に示す種々のサイズの用紙が送り込まれる。ここでは、端部検出の時間を短縮するために複数のセンサＰＳ１〜ＰＳ５を備えている例を説明する。具体的には、図６、図７に示すように、端部検出センサをパンチユニット２０のセンターから順にＰＳ１，ＰＳ２…ＰＳ５とするとき、各センサで検出を受け持つ用紙サイズは図８のテーブルに示すとおりである。画像形成装置２から排出される用紙のサイズは予め後処理装置１へと伝達されている。用紙Ｓは図５（Ａ），（Ｂ）の右方から左方へと搬送され、この搬送途中にパンチユニット２０をＣＤ方向にスライド移動させ、用紙Ｓのサイズに対応するいずれかのセンサが用紙Ｓの端部を検出したタイミングから、用紙Ｓのサイズによって決まる所定距離だけさらにＣＤ方向に移動した位置でパンチユニット２０を停止させる。これにて、図６に示すように、パンチユニット２０（パンチングロッド２２）のセンターと通紙センターとが一致する。そして、所定のタイミングでパンチロッド２２を動作させることで用紙Ｓの後端縁部に穿孔される。
【００２１】
図６は用紙がＡ４横サイズである場合、センサＰＳ５で用紙Ｓの端部を検出した状態を示している。この場合は、センサＰＳ５で用紙Ｓの端部を検出した時点でパンチユニット２０のセンターが通紙センターと一致している。よって、パンチ処理のためにパンチユニット２０をさらにＣＤ方向へ移動させる必要はない。
【００２２】
パンチユニット２０がＣＤ方向へ移動する際のホームポジションは図４（Ａ）、図５（Ａ）に示す位置であり、パンチユニット２０がホームポジションにセットされていることは、筐体２１の所定部分をホームセンサＰＳ１５にて検出することにより確認される。
【００２３】
制御機構は、図１０に示すように、後処理装置１の制御部６０、パンチユニット２０の制御部６５、画像形成装置２の制御部７０で構成されている。各制御部６０，６５，７０に設けられているＣＰＵ６１，６６，７１は互いに通信可能である。各ＣＰＵ６１，６６，７１はメモリ６２，６７，７２を備え、ＣＰＵ６６はさらに不揮発メモリ６８を備えている。
【００２４】
ＣＰＵ６６は、端部検出センサＰＳ（ＰＳ１〜ＰＳ５）の発光部４５に発光強度を含む信号を出力し、受光部４６からの受光信号を受け取り、デジタル変換する。また、ＣＰＵ６６は、ホームセンサＰＳ１５や通紙センサＰＳ１１，ＰＳ１２からの出力信号の入力を受け、パンチングロッド２２の駆動源であるモータＭの制御信号を出力する。ＣＰＵ６１は、ローラ４１，４２などの搬送手段、Ｚ折りユニット３０、ステープルユニット３５を制御する。ＣＰＵ７１は、入力部や表示部を備えた操作パネル７３と必要な情報を交換し、また、図示しない感光体や中間転写ベルト、現像器など周知の画像形成エレメントを制御する。
【００２５】
ところで、端部検出センサＰＳ（ＰＳ１〜ＰＳ５）の発光部４５の発光強度は変更することが可能である。搬送される用紙の端部検出のためには受光光量の変化タイミングを高精度で検出できなければならない。それゆえ、受光光量を示すアナログ信号は直ちにコンパレータ６９に入力し、Ｈｉｇｈ（用紙なし）かＬｏｗ（用紙あり）の２値の信号に変換する。コンパレータ６９の比較用電圧は固定である。用紙がない場合はぎりぎりＨｉｇｈとなり、薄い用紙でも光が弱まってＬｏｗとなるような発光強度に設定する必要がある。端部検出センサＰＳ（ＰＳ１〜ＰＳ５）の発光強度を適正値に設定する処理を光量調整と称する。時間の経過によるセンサＰＳの特性変化や、鏡４７に埃や紙粉が溜まることで適正な調整値が変わるので必要に応じて調整を実施する。
【００２６】
本実施例において、端部検出センサＰＳ（ＰＳ１〜ＰＳ５）の光量調整（初期エラーチェックモードとも称する）を行うタイミングは、後処理装置１への電源投入時、スリープモードからの復帰時、及び、後処理装置１の図示しない前扉が開かれてその後閉じられたときの少なくともいずれか一つである。そして、この光量調整を行う直前に搬送経路１２（パンチユニット２０での搬送経路）での残留用紙の検出を行う。換言すれば、ＣＰＵ６６は、残留用紙がないと判定した場合に、搬送される用紙の端部を検出するために、端部検出センサＰＳ（ＰＳ１〜ＰＳ５）の適正な発光強度を演算する。
【００２７】
残留用紙の検出の際、まず、図９（Ａ）に示すように、パンチユニット２０を手前限界までＣＤ方向に移動させる。このとき、最も手前側に配置されているセンサＰＳ５はＣＤ方向に最も幅の広い用紙Ｓ（Ａ３サイズ）に対向しない位置になる。よって、このセンサＰＳ５のみに対して光量調整を行う。つまり、最大通紙サイズの用紙が経路１２に残留していたとしても、センサＰＳ５に関しては残留用紙に影響されることなく光量調整を実行可能である。他のセンサＰＳ１〜ＰＳ４に関しては、光量調整を行うことなく、センサＰＳ５の光量調整に結果を反映させる。パンチユニット２０のＣＤ方向における可動範囲が大きく、光量調整を行ったセンサを通紙センター付近にまで移動させることができるのであれば、他のセンサを残留用紙の検出に使用する必要はない。
【００２８】
一方、残留用紙の検出の際にパンチユニット２０を奥限界までＣＤ方向に移動させた場合を図９（Ｂ）に示す。この場合には、最も手前に位置するセンサＰＳ５ではＣＤ方向にサイズの短い用紙Ｓを検出することができない。
【００２９】
また、１個の端部検出センサＰＳのみが設置されている場合は、センサＰＳを最大通紙サイズの用紙に対向しない位置へ移動させた後に該センサＰＳの光量調整を行う。
【００３０】
残留用紙の検出の際、端部検出センサの発光部４５を所定の強度で発光させ、受光部４６による受光光量のアナログレベルが所定レベル以上であるならば「残留用紙なし」、所定レベル未満であれば「残留用紙あり」と判定する。残留用紙あり」の場合は、画像形成装置２の操作パネル７３の表示セクションに「残留用紙あり」を表示し、残留用紙の除去を促す。図９（Ｃ）に示すように、用紙が除去されたのであれば、改めて各センサＰＳ１〜ＰＳ５の光量調整を行い、端部検出を行うための最適な光量を設定する。
【００３１】
残留用紙なしの場合は、前記光量調整を実行する。即ち、最も手前のセンサＰＳ５以外のセンサＰＳ１〜ＰＳ４の光量調整を行うが、センサＰＳ５の光量調整を実行してもかまわない。光量調整では発光強度０（消灯）から発光強度を所定値ずつ上げながら受光光量が所定範囲に入る発光強度を求め、記憶させる。制御部６５に不揮発メモリ６８が設置されていれば、ここでの発光強度を不揮発メモリ６８に記憶する。
【００３２】
残留用紙の検出のとき、搬送経路１２の想定範囲に用紙が残留していることを確実に検出できる位置に端部検出センサを移動させる。即ち、想定しているＣＤ方向に最も短いサイズの用紙が残留した場合にセンサが該用紙と対向している必要がある。例えば、図７に示すように、ＣＤ方向に９０ｍｍの最小サイズの用紙をセンサＰＳ１で検出可能とするため、パンチユニット２０をそのセンターが通紙センターの奥側３２ｍｍの位置に移動させる。この位置において、ＣＤ方向に最も短いサイズの用紙であってもセンサＰＳ１にて検出されることになる。なお、この位置は、後処理時に経路１２を搬送されてくる用紙の端部を検出する際の待機位置とは異なる。
【００３３】
残留用紙を検出するためのパンチユニット２０（端部検出センサ）の位置は、検出時の直前に通紙した用紙のＣＤ方向の寸法により決定することができる。
【００３４】
図４に示したように、パンチユニット２０に１個のセンサＰＳのみが配置されている場合、通紙される用紙の検出及び残留用紙の検出はセンサＰＳで行うことになる。残留用紙があれば、該用紙を除去した後に光量調整を実行する。残留用紙の検出を行わない場合には、センサＰＳを残留する可能性のある最大サイズの用紙に対向しない位置に移動させた後にその光量調整を行う。
【００３５】
端部検出センサのいずれかで後処理装置１内での紙詰まりなどのエラーを検出した場合、後処理装置１の動作を停止させるまでの期間に、端部検出センサを残留用紙検出のための位置に移動させ、紙詰まり処理が終わった後に直ちに残留用紙の有無を検出できるようにすることが好ましい。
【００３６】
また、光量調整時に不揮発メモリ６８に前回調整値を記憶している場合は、残留用紙検出の際に、前回調整値を用いるようにしてもよい。不揮発メモリ６８にまだ一度も調整結果が記憶されていない場合には発光部４５を所定強度で発光させるか、残留用紙検出を行わないようにする。
【００３７】
次に、残留用紙の検出及びパンチ処理の制御手順について図１１（第１の制御手順）及び図１２Ａ，Ｂ（第２の制御手順）を参照して簡単に説明する。
【００３８】
第１の制御手順においては、図１１に示すように、後処理装置１を含めて画像形成装置２の電源がオンされると、まず、パンチユニット２０を手前限界位置（図９（Ａ）参照）に移動させ（ステップＳ１）、手前のセンサＰＳ５の光量を調整する（ステップＳ２）。そして、センサＰＳ５の調整値を他のセンサＰＳ１〜ＰＳ４に反映させる（ステップＳ３）。次に、パンチユニット２０を残留用紙の検出位置（図７参照）に移動させる（ステップＳ４）。
【００３９】
画像形成装置２での画像形成が開始されると（ステップＳ１０でＹＥＳ）、パンチユニット２０をホームポジションに待機させる（ステップＳ１１）。そして、用紙の搬送に合わせてパンチユニット２０をＣＤ方向に移動させ、用紙のサイズに対応するいずれかのセンサで用紙の端部を検出する（ステップＳ１２）。さらに、パンチユニット２０をＣＤ方向に移動させ穿孔位置で停止させる（ステップＳ１３）。その後、用紙の後端部がパンチングロッド２２の下部を通過する時点で用紙の搬送を一瞬停止させ穿孔する（ステップＳ１４）。
【００４０】
次に、次用紙があれば（ステップＳ１５でＹＥＳ）、前記ステップＳ１１に戻り、次用紙がなければ、パンチユニット２０を残留用紙の検出位置に移動させる（ステップＳ１６）。
【００４１】
第２の制御手順においては、図１２（Ａ），（Ｂ）に示すように、処理装置１を含めて画像形成装置２の電源がオンされると、まず、パンチユニット２０を手前限界位置（図９（Ａ）参照）に移動させ（ステップＳ１）、手前のセンサＰＳ５の光量を調整する（ステップＳ２）。そして、センサＰＳ５の調整値を他のセンサＰＳ１〜ＰＳ４に反映させる（ステップＳ３）。次に、パンチユニット２０を残留用紙の検出位置（図７参照）に移動させ（ステップＳ４）、センサＰＳ１にて残留用紙を検出する（ステップＳ５）。残留用紙があれば（ステップＳ６でＹＥＳ）、操作パネル７３に「残留用紙あり」を表示し（ステップＳ７）、その除去を促す。残留用紙の除去はオペレーターが後処理装置１の前扉を開いて行う。それゆえ、前扉が閉止されると（ステップＳ８でＹＥＳ）、前記ステップＳ１へ戻る。
【００４２】
一方、残留用紙がなければ（ステップＳ６でＮＯ）、全てのセンサＰＳ１〜ＰＳ５の光量調整を行い（ステップＳ９）、画像形成装置２での画像形成の開始を待つ（ステップＳ１０）。画像形成が開始されると（ステップＳ１０でＹＥＳ）、パンチユニット２０をホームポジションに待機させる（ステップＳ１１）。そして、用紙の搬送に合わせてパンチユニット２０をＣＤ方向に移動させ、用紙のサイズに対応するいずれかのセンサで用紙の端部を検出する（ステップＳ１２）。さらに、パンチユニット２０をＣＤ方向に移動させ穿孔位置で停止させる（ステップＳ１３）。その後、用紙の後端部がパンチングロッド２２の下部を通過する時点で用紙の搬送を一瞬停止させ穿孔する（ステップＳ１４）。
【００４３】
次に、次用紙があれば（ステップＳ１５でＹＥＳ）、前記ステップＳ１１に戻り、次用紙がなければ、パンチユニット２０を残留用紙の検出位置に移動させる（ステップＳ１６）。
【００４４】
なお、本発明に係る後処理装置は前記実施例に限定するものではなく、その要旨の範囲内で種々に変更することができる。
【００４５】
特に、画像形成装置の基本的な構成、後処理装置で穿孔処理以外のどのような種類の後処理を実行するかは任意である。また、端部検出センサも種々の配置関係に設定することができる。
【産業上の利用可能性】
【００４６】
以上のように、本発明は、画像形成済み用紙の後処理装置に有用であり、特に、穿孔手段での残留用紙の有無を既設の端部検出手段にて検出することができ、かつ、端部検出センサの光量調製を過誤なく実行できる点で優れている。
【符号の説明】
【００４７】
１…後処理装置
２…画像形成装置
２０…パンチユニット
２２…パンチングロッド
４１，４２…搬送ローラ
４５…発光部
４６…受光部
６５…制御部
６６…ＣＰＵ
７２…操作パネル
ＰＳ，ＰＳ１〜ＰＳ５…端部検出センサ
【図１】
0006600769.tif 000002
【図２】
0006600769.tif 000003
【図３】
0006600769.tif 000004
【図４】
0006600769.tif 000005
【図５】
0006600769.tif 000006
【図６】
0006600769.tif 000007
【図７】
0006600769.tif 000008
【図８】
0006600769.tif 000009
【図９】
0006600769.tif 000010
【図１０】
0006600769.tif 000011
【図１１】
0006600769.tif 000012
【図１２Ａ】
0006600769.tif 000013
【図１２Ｂ】
0006600769.tif 000014